(57)【要約】ポストカードの発生を低減することができるヘッドアップディスプレイ（ＨＵＤ）装置を提供する。ＨＵＤ装置は、画像を虚像として視認させる。ＨＵＤ装置は、画像を示す光を含む投影光を射出するプロジェクタ１００と、投影光が到達するスクリーン６０と、投影光のうち画像を示す光以外の少なくとも一部の光を遮る遮光部Ｓとを備える。スクリーン６０は、投影光の到達可能範囲である表示可能領域Ｒｃと、画像が投影される表示領域Ｒａとを有する。投影光の主光線Ｐｍと垂直な方向から見た場合に、射出瞳１０１の径方向における一端から表示可能領域Ｒｃの所定端へと向かう光線に沿う線を第１外線Ｃｏとし、当該一端から表示領域Ｒａの端へと向かう光線に沿う線を第２外線Ａｏとすると、遮光部Ｓは、第１外線Ｃｏ上に位置するとともに、第２外線Ａｏの外側に位置する。
2020004093.tif 000002
【特許請求の範囲】
【請求項１】
画像を表す表示光を透光部材に向けて射出することで、前記画像を虚像として視認させるヘッドアップディスプレイ装置であって、
前記画像を示す光を含む投影光を射出するプロジェクタと、
前記投影光が到達して前記画像が投影されることで、前記表示光を発するスクリーンと、
前記投影光の光路における前記プロジェクタと前記スクリーンとの間に位置し、前記投影光のうち前記画像を示す光以外の少なくとも一部の光を遮る遮光部と、を備え、
前記スクリーンは、前記プロジェクタの射出瞳によって定まる前記投影光の到達可能範囲である表示可能領域と、前記表示可能領域よりも内側の領域であって前記画像が投影される表示領域と、を有し、
前記投影光の主光線と垂直な方向から見た場合に、前記射出瞳の径方向における一端から前記表示可能領域の所定端へと向かう光線に沿う線を第１外線とし、前記射出瞳の径方向における前記一端から前記主光線よりも前記所定端側にある前記表示領域の端へと向かう光線に沿う線を第２外線とすると、
前記遮光部は、前記第１外線上に位置するとともに、前記第２外線の外側に位置する、
ヘッドアップディスプレイ装置。
【請求項２】
前記主光線と垂直な方向から見た場合に、前記射出瞳の中心から前記所定端へと向かう光線に沿う線を中線とすると、
前記遮光部は、前記第１外線上に位置するとともに、前記第２外線の外側、且つ、前記中線の外側に位置する、
請求項１に記載のヘッドアップディスプレイ装置。
【請求項３】
前記主光線と垂直な方向から見た場合に、前記射出瞳の径方向における他端から前記所定端へと向かう光線に沿う線を内線とすると、
前記遮光部は、前記第１外線上、且つ、前記内線上に位置するとともに、前記第２外線の外側に位置する、
請求項１に記載のヘッドアップディスプレイ装置。
【請求項４】
前記主光線と垂直な方向から見た場合に、前記射出瞳の中心から前記所定端へと向かう光線に沿う線を中線とし、前記射出瞳の径方向における他端から前記所定端へと向かう光線に沿う線を内線とすると、
前記遮光部は、前記第１外線上、且つ、前記中線上に位置するとともに、前記第２外線の外側、且つ、前記内線の外側に位置する、
請求項１に記載のヘッドアップディスプレイ装置。
【請求項５】
前記遮光部は、前記第２外線と前記内線との交点の近傍に位置する、
請求項４に記載のヘッドアップディスプレイ装置。
【請求項６】
前記プロジェクタが射出した前記投影光を前記スクリーンに向けて反射させる反射面を有する反射部と、
前記反射部に設けられ、前記反射面を覗かせる開口部を有する枠体と、をさらに備え、
前記遮光部は、前記枠体の少なくとも一部によって構成されている、
請求項１乃至５のいずれか１項に記載のヘッドアップディスプレイ装置。
【請求項７】
前記表示可能領域は、平面視で矩形の領域であり、
前記遮光部は、平面視で前記矩形の四辺のうち少なくとも一辺に沿う形状をなす、
請求項１乃至６のいずれか１項に記載のヘッドアップディスプレイ装置。
【請求項８】
車両に搭載され、前記透光部材としての前記車両のフロントガラスに向けて前記表示光を射出する、
請求項１乃至７のいずれか１項に記載のヘッドアップディスプレイ装置。
【発明の詳細な説明】
【技術分野】
【０００１】
本発明は、ヘッドアップディスプレイ装置に関する。
【背景技術】
【０００２】
プロジェクタからスクリーンに投影された画像を表す表示光を、透光部材（例えば車両のフロントガラス）に向けて射出することで、透光部材越しに当該画像を虚像として視認させるヘッドアップディスプレイ（ＨＵＤ；Head-Up Display）装置が、例えば特許文献１に開示されている。
【先行技術文献】
【特許文献】
【０００３】
【特許文献１】特開２０１７−１１６８８８号公報
【発明の概要】
【発明が解決しようとする課題】
【０００４】
特許文献１に開示されたプロジェクション方式のＨＵＤ装置は、その特性上、例えばＴＦＴ(Thin-Film-Transistor）液晶で表示光を生成する方式のＨＵＤ装置に比べ、表示画像のコントラストが低くなる場合が多い。コントラストが低いことにより、虚像の表示領域の外縁部が薄く光ると、当該表示領域とその外部との境界が目立って視認される現象（いわゆるポストカード）が発生する。顕著にポストカードが発生してしまうと、良好な表示見栄えが保てない虞がある。【０００５】
本発明は、上記実情に鑑みてなされたものであり、ポストカードの発生を低減することができるヘッドアップディスプレイ装置を提供することを目的とする。
【課題を解決するための手段】
【０００６】
上記目的を達成するため、本発明に係るヘッドアップディスプレイ装置は、
画像を表す表示光を透光部材に向けて射出することで、前記画像を虚像として視認させるヘッドアップディスプレイ装置であって、
前記画像を示す光を含む投影光を射出するプロジェクタと、
前記投影光が到達して前記画像が投影されることで、前記表示光を発するスクリーンと、
前記投影光の光路における前記プロジェクタと前記スクリーンとの間に位置し、前記投影光のうち前記画像を示す光以外の少なくとも一部の光を遮る遮光部と、を備え、
前記スクリーンは、前記プロジェクタの射出瞳によって定まる前記投影光の到達可能範囲である表示可能領域と、前記表示可能領域よりも内側の領域であって前記画像が投影される表示領域と、を有し、
前記投影光の主光線と垂直な方向から見た場合に、前記射出瞳の径方向における一端から前記表示可能領域の所定端へと向かう光線に沿う線を第１外線とし、前記射出瞳の径方向における前記一端から前記主光線よりも前記所定端側にある前記表示領域の端へと向かう光線に沿う線を第２外線とすると、
前記遮光部は、前記第１外線上に位置するとともに、前記第２外線の外側に位置する。
【発明の効果】
【０００７】
本発明によれば、ポストカードの発生を低減することができる。
【図面の簡単な説明】
【０００８】
【図１】本発明の一実施形態に係るヘッドアップディスプレイ（ＨＵＤ）装置の表示態様を説明するための図である。
【図２】ＨＵＤ装置の概略構成図である。
【図３】（ａ）は、プロジェクタの概略構成図であり、（ｂ）は、照明装置の概略構成図である。
【図４】（ａ）は、第１反射部及び枠体の平面図であり、（ｂ）は、スクリーンにおける各種領域を説明するための平面図である。
【図５】各種光線に沿う線を説明するための模式図である。
【図６】（ａ）は、第１位置条件を説明するための模式図であり、（ｂ）は、第２位置条件を説明するための模式図である。
【図７】（ａ）は、第３位置条件を説明するための模式図であり、（ｂ）は、第４位置条件を説明するための模式図である。
【図８】設定可能領域を説明するための模式図である。
【図９】（ａ）は、遮光部が第１位置条件を満たす場合の表示余裕領域における投影光の輝度変化割合を示す図であり、（ｂ）は、遮光部が第２位置条件を満たす場合の表示余裕領域における投影光の輝度変化割合を示す図である。
【図１０】（ａ）は、遮光部が第３位置条件を満たす場合の表示余裕領域における投影光の輝度変化割合を示す図であり、（ｂ）は、遮光部が第４位置条件を満たす場合の表示余裕領域における投影光の輝度変化割合を示す図である。
【発明を実施するための形態】
【０００９】
本発明の一実施形態について図面を参照して説明する。
【００１０】
本実施形態に係るヘッドアップディスプレイ（ＨＵＤ）装置１は、図１に示すように、車両２のダッシュボードに配設され、図２に模式的に示す画像Ｍを表す表示光Ｌをウインドシールド３（フロントガラス）に向けて射出する。ウインドシールド３で反射した表示光Ｌは、ウインドシールド３の前方に画像Ｍの虚像Ｖとして観察者４（主に、車両２の運転者）に視認される。このようにして、ＨＵＤ装置１は、車両２の前方の景色に重ねて、虚像Ｖとして視認される画像Ｍを表示する。画像Ｍは、例えば、車速、エンジン回転数、ナビゲーション情報などの車両２に関する車両情報を報知するための画像である。なお、車両情報は、車両２自体の情報だけでなく、車両２の外部の情報も含む。
【００１１】
ＨＵＤ装置１は、プロジェクション方式により画像Ｍを表示するものであり、図２に示すように、プロジェクタ１００と、制御部３０と、第１反射部４０と、枠体５０と、スクリーン６０と、第２反射部７０と、凹面鏡８０と、筐体９０と、を備える。
【００１２】
プロジェクタ１００は、制御部３０の制御により、例えば、フィールドシーケンシャル方式によって投影光Ｐを生成し、生成した投影光Ｐを第１反射部４０に向けて射出する。
【００１３】
プロジェクタ１００は、図３（ａ）に示すように、照明装置１０と、反射鏡２０と、プリズム２１と、表示素子２２と、投写レンズ部２３と、を備える。
【００１４】
照明装置１０は、反射鏡２０及びプリズム２１を介して、後述する照明光ＲＧＢで表示素子２２を照明するものであり、図３（ｂ）に示すように、光源部１１と、回路基板１２と、合波手段１３と、を備える。
【００１５】
光源部１１は、赤色光Ｒを発する光源１１ｒと、緑色光Ｇを発する光源１１ｇと、青色光Ｂを発する光源１１ｂとを有する。光源１１ｒ，１１ｇ，１１ｂの各々は、例えば、発光ダイオード（ＬＥＤ（Light Emitting Diode））から構成されている。光源１１ｒ，１１ｇ，１１ｂの各々は、制御部３０によってフィールドシーケンシャル方式で駆動され、所定の光強度及びタイミングで発光する。回路基板１２は、例えばプリント回路板からなり、光源１１ｒ，１１ｇ，１１ｂが実装されている。
【００１６】
合波手段１３は、光源１１ｒ，１１ｇ，１１ｂから発せられ、到達した光Ｒ，Ｇ，Ｂを合波して、照明光ＲＧＢとして射出するものである。具体的には、合波手段１３は、反射部１３ａと、ダイクロイックミラーからなる合波部１３ｂ，１３ｃと、を有する。反射部１３ａは、光源１１ｂが発した青色光Ｂを合波部１３ｂに向けて反射させる。合波部１３ｂは、光源１１ｇが発した緑色光Ｇを合波部１３ｃに向けて反射させると共に、反射部１３ａからの青色光Ｂをそのまま透過させる。これにより、合波部１３ｂからは、青色光Ｂと緑色光Ｇとが合波された光ＢＧが合波部１３ｃに向け射出される。合波部１３ｃは、光源１１ｒが発した赤色光Ｒを反射鏡２０に向けて反射させると共に、合波部１３ｂからの光ＢＧをそのまま透過させる。このようにして、合波部１３ｃからは、光ＢＧと赤色光Ｒとが合波された照明光ＲＧＢが反射鏡２０に向けて射出される。
【００１７】
反射鏡２０は、例えば平面鏡であり、照明装置１０が発した照明光ＲＧＢを、プリズム２１に向けて反射させる。反射鏡２０からの照明光ＲＧＢは、プリズム２１を透過して表示素子２２を照明する。照明光ＲＧＢを受けた表示素子２２は、後述のように投影光Ｐを生成する。表示素子２２によって生成された投影光Ｐは、プリズム２１の傾斜面２１ａによって、投写レンズ部２３に向けて反射される。
【００１８】
表示素子２２は、制御部３０からの画像データに基づいて画像Ｍを示す光を含む投影光Ｐを生成する。表示素子２２は、例えば、可動式の複数のマイクロミラーを有するＤＭＤ（Digital Micro-mirror Device）からなり、制御部３０の制御により、各ミラーがオンとオフとのいずれかの状態で制御されることで、照明光ＲＧＢを空間光変調して投影光Ｐを生成し、射出する。
【００１９】
表示素子２２におけるマイクロミラーの下部には電極が設けられており、この電極により各ミラーを非常に短い周期（例えばμsecのオーダー）で駆動することにより、各ミラーは、オン又はオフ状態となる。各ミラーは、ヒンジを支点に可動可能であり、ミラーがオン状態のときには鏡面がヒンジを支点として順方向に所定の角度だけ傾斜し（例えば＋１２°）、ミラーがオフ状態のときには鏡面がヒンジを支点として逆方向に所定の角度だけ傾斜する（例えば−１２°）。オン状態のミラーは、照明光ＲＧＢをプリズム２１に向けて反射させる。オン状態のミラーで反射した照明光ＲＧＢは、スクリーン６０に到達する光となる。オフ状態のミラーは、照明光ＲＧＢをプリズム２１に向けて反射させない。オフ状態のミラーに到達した照明光ＲＧＢは、スクリーン６０に到達しない光となる。このように、画像データに基づき個別に駆動される各ミラー素子で選択的に反射される照明光ＲＧＢによって投影光Ｐが生成される。生成された投影光Ｐがスクリーン６０に投影されることで、所望の輝度及び色の画像Ｍがスクリーン６０に投影される。
【００２０】
投写レンズ部２３は、表示素子２２で生成され、プリズム２１を介して到達した投影光Ｐを拡大し、第１反射部４０に向けて射出する。なお、投写レンズ部２３は、１枚のレンズで構成されてもよいし、複数のレンズで構成されてもよい。
【００２１】
図２に戻って、制御部３０は、マイクロコンピュータ（マイコン）、光源部１１を駆動するドライバ、表示素子２２を駆動するドライバなどから構成される。マイコンは、ＣＰＵ（Central Processing Unit）、ＲＯＭ（Read Only Memory）、ＲＡＭ（Random Access Memory）などを備える。ＣＰＵは、ＲＯＭに予め記憶された動作プログラムを読み出して実行することで、ＨＵＤ装置１の全体動作を制御する。制御部３０は、車両２に搭載されたＥＣＵ（Electronic Control Unit）からの車両情報に基づき、車両情報を示す画像Ｍを表示するための画像データを生成する。そして、画像データ（各種ドライバを駆動する駆動信号を含む）に基づき、光源部１１及び表示素子２２を駆動する。制御部３０の制御により、プロジェクタ１００は、画像Ｍを示す光を含む投影光Ｐを射出する。
【００２２】
第１反射部４０は、例えば平面鏡からなり、プロジェクタ１００が射出した投影光Ｐをスクリーン６０に向けて反射させる反射面４１を有する。反射面４１は、例えば、図４（ａ）に示すように、その法線方向から見て（平面視で）矩形の面である。反射面４１は、投影光Ｐのうち少なくとも画像Ｍを示す光をスクリーン６０に向けて反射させる。なお、第１反射部４０は曲面鏡（自由曲面鏡も含む）であってもよい。
【００２３】
枠体５０は、例えば樹脂により遮光性を有して形成され、第１反射部４０に設けられている。枠体５０は、図４（ａ）に示すように、平面視での反射面４１の形状を定める開口部５１を有する。つまり、平面視で枠体５０の開口部５１も矩形に形成されている。枠体５０の一部によって後述の遮光部Ｓが構成される。なお、図２、図４（ａ）では、枠体５０を模式的に表しているが、開口部５１によって反射面４１の露出領域を規定でき、後述の遮光部Ｓの位置条件を満たす限りにおいては、枠体５０の形状や第１反射部４０への固定方法は、任意である。
【００２４】
スクリーン６０は、プロジェクタ１００から射出され、第１反射部４０で反射した投影光Ｐを受ける。スクリーン６０は、例えば、図４（ｂ）に示すように平面視で矩形状に形成されている。スクリーン６０は、ホログラフィックディフューザ、マイクロレンズアレイ、拡散板等から構成される透過型スクリーンであり、第１反射部４０の投影光Ｐを背面（図２における下面）で受光し、前面（図２における上面）に画像Ｍを表示する。これにより、画像Ｍを表す表示光Ｌが第２反射部７０に向けて射出される。
【００２５】
第２反射部７０は、例えば平面鏡からなり、スクリーン６０からの表示光Ｌを凹面鏡８０に向けて反射させる。
【００２６】
凹面鏡８０は、第２反射部７０からの表示光Ｌをウインドシールド３に向けて反射させる。これにより、結像される虚像Ｖは、スクリーン６０に表示された画像Ｍよりも拡大されたものとなる。
【００２７】
筐体９０は、プロジェクタ１００、制御部３０、第１反射部４０、枠体５０、スクリーン６０、第２反射部７０、及び凹面鏡８０を、上述の機能を充足する適宜の位置に配設するとともに収納する。なお、筐体９０は、複数の部材の組み合わせにより構成されてもよいことは言うまでもない。筐体９０には、開口部が形成され、この開口部には透光板９１が設けられている。透光板９１は、アクリル等の透光性樹脂からなり、凹面鏡８０からの表示光Ｌを透過させる。
【００２８】
ＨＵＤ装置１が虚像Ｖを表示する機構を簡潔に述べる。プロジェクタ１００が射出した投影光Ｐは、第１反射部４０を介して、スクリーン６０に画像Ｍとして投影される。スクリーン６０に表示された画像Ｍを表す表示光Ｌは、第２反射部７０、凹面鏡８０、及び透光板９１を介して、ウインドシールド３へ射出される。このようにしてＨＵＤ装置１から射出された表示光Ｌがウインドシールド３で反射することで、ウインドシールド３の前方に画像Ｍが虚像Ｖとして表示される。
【００２９】
（スクリーン６０上の各種領域について）
続いて、スクリーン６０上の各種領域を、図４（ｂ）を参照して説明する。スクリーン６０は、入射する投影光Ｐに向く面（図２の下面）において、表示可能領域Ｒｃと、表示領域Ｒａとを有する。なお、スクリーン６０は、透過型のものであるため、表示可能領域Ｒｃ、表示領域Ｒａ、及び後述の表示余裕領域Ｒｂについては、スクリーン６０における表示光Ｌの射出面（図２の上面）において形成されると考えてもよい。
【００３０】
表示可能領域Ｒｃは、投影光Ｐが到達可能な最大範囲に対応する領域であり、プロジェクタ１００の射出瞳１０１（図５等参照）によって定まる範囲である。射出瞳１０１は、投写レンズ部２３をのぞき込んだときに見える開口絞りの像である。なお、プロジェクタ１００の開口絞りについては、プロジェクタ１００において適宜設定されるものであるため、図示省略している。例えば、表示可能領域Ｒｃは、投影光Ｐの主光線Ｐｍが延びる方向から見て（平面視で）、矩形の領域である。
【００３１】
表示領域Ｒａは、表示可能領域Ｒｃよりも内側の領域であって、実際に観察者４に視認させたい画像Ｍが投影される領域である。つまり、表示領域Ｒａは、投影光Ｐのうち画像Ｍを示す光が到達する領域である。例えば、表示領域Ｒａは、投影光Ｐの主光線Ｐｍが延びる方向から見て（平面視で）、矩形の領域である。したがって、虚像Ｖとして表示される画像Ｍも観察者４に矩形状態に視認される。
【００３２】
表示可能領域Ｒｃと表示領域Ｒａとの間の領域は、図４（ｂ）、図５等に示すように、表示余裕領域Ｒｂとなる。つまり、表示領域Ｒａと表示余裕領域Ｒｂの和が表示可能領域Ｒｃとなる。
【００３３】
表示余裕領域Ｒｂは、例えば、画像Ｍの歪みなどを補正する場合に必要となる領域である。例えば、制御部３０は、矩形状に視認させたい画像Ｍに光学設計上で歪みが生じる場合などに、表示余裕領域Ｒｂに到達する投影光Ｐを制御することで、歪みを補正する。したがって、表示余裕領域Ｒｂに到達した投影光Ｐは、若干ながら虚像Ｖとして視認される。つまり厳密には、画像Ｍだけでなく、表示余裕領域Ｒｂに到達した投影光Ｐが表す像も画像Ｍの周囲に若干ながら虚像Ｖとして視認される。
【００３４】
プロジェクション方式のＨＵＤ装置では、その特性上、この表示余裕領域Ｒｂにおける投影光Ｐの輝度を、表示領域Ｒａに表示される画像Ｍの輝度に対して十分に低くすること（高コントラストを実現すること）が困難であり、何の対策も講じない場合には、虚像Ｖとして表示される画像Ｍの外縁が薄明るく視認されるポストカードが発生することがあった。本実施形態に係るＨＵＤ装置１は、遮光部Ｓが後述の位置条件を満たすことによりポストカードの発生を低減する。
【００３５】
（遮光部Ｓの位置条件について）
続いて、遮光部Ｓの位置条件について説明する。まず、当該位置条件を説明するために、図５を参照して各種光線に沿う線を定義する。なお、図６（ａ）、（ｂ）等に示す遮光部Ｓは、枠体５０の一部を示している。
【００３６】
図５は、投影光Ｐの主光線Ｐｍと垂直な方向から見た場合において、プロジェクタ１００の射出瞳１０１からスクリーン６０までの光路の一部を模式的に示したものである。
【００３７】
なお、図２に示すように、実際には投影光Ｐは、第１反射部４０で反射した後にスクリーン６０に到達するが、当該反射を考慮したものと、図５は、光学的に同義である（後述の図６〜図８も同様）。また、下記に説明する遮光部Ｓの位置条件は、投影光Ｐの主光線Ｐｍと垂直な方向のうち任意の方向において成り立つものであり、図４（ｂ）における上下方向、左右方向、斜め方向などの特定の方向に限定されない。また、下記に説明する遮光部Ｓの位置条件は、スクリーン６０に到達する主光線Ｐｍよりも上側の領域に向かう光線と、スクリーン６０に到達する主光線Ｐｍよりも下側の領域に向かう光線とで同様に考えることができるため、以下では、スクリーン６０に到達する主光線Ｐｍよりも下側の領域に向かう光線についての説明を割愛する。この理由から、図面の見易さを考慮して、図５等では、スクリーン６０に到達する主光線Ｐｍよりも上側の領域に向かう光線を示している。
【００３８】
図５において、射出瞳１０１の径方向における上端（一端）から、表示可能領域Ｒｃの上端（所定端）へと向かう光線に沿う線を「第１外線Ｃｏ」とする。一方、射出瞳１０１の径方向における下端（他端）から、表示可能領域Ｒｃの上端（所定端）へと向かう光線に沿う線を「第１内線Ｃｉ」（請求項における内線）とする。
図５において、射出瞳１０１の径方向における上端（一端）から、表示領域Ｒａの上端（主光線Ｐｍよりも所定端側にある表示領域Ｒａの端）へと向かう光線に沿う線を「第２外線Ａｏ」とする。一方、射出瞳１０１の径方向における下端（他端）から、表示領域Ｒａの下端へと向かう光線に沿う線を「第２内線Ａｉ」とする。
図５において、射出瞳１０１の中心から、表示可能領域Ｒｃの上端（所定端）へと向かう光線に沿う線を「中線Ｎ」とする。
【００３９】
本願発明者は、図８に示す設定可能領域Ｄ（第１外線Ｃｏと第２外線Ａｏとの間の領域）内に、遮光部Ｓの一部が含まれるように、遮光部Ｓを位置させることで、ポストカードの発生を低減することができることを見出した。具体的には、ポストカードの発生を低減するためには、図８に示すように、少なくとも、遮光部Ｓは、第１外線Ｃｏ上に位置するとともに、第２外線Ａｏよりも外側に位置している必要がある。
【００４０】
以下では、設定可能領域Ｄを構成する第１領域Ｄ１、第２領域Ｄ２、及び第３領域Ｄ３の各領域に分けて、具体的に、遮光部Ｓが満たす位置条件（第１〜第４位置条件）の例を説明する。
【００４１】
（第１位置条件）
第１位置条件は、図６（ａ）に示す第１領域Ｄ１内に遮光部Ｓの一部が含まれるように、遮光部Ｓを位置させる条件である。第１領域Ｄ１は、第２外線Ａｏと第１外線Ｃｏと中線Ｎとに囲まれる領域である。具体的には、遮光部Ｓは、「第１外線Ｃｏ上に位置するとともに、第２外線Ａｏの外側、且つ、中線Ｎの外側に位置する」という条件（第１位置条件）を満たす位置に設けられる。
【００４２】
図９（ａ）は、第１位置条件を満たす位置に遮光部Ｓを設けた場合の、表示余裕領域Ｒｂにおける投影光Ｐの輝度変化割合を示すグラフである。グラフの縦軸は、表示領域Ｒａに表示（投影）される画像Ｍの輝度を１００％とした場合の、表示余裕領域Ｒｂにおける投影光Ｐの輝度の割合（％）を示す。グラフの横軸は、表示領域Ｒａと表示余裕領域Ｒｂとの境界を０ｍｍとした場合の、表示領域Ｒａの外縁から表示可能領域Ｒｃの外縁までの距離（ｍｍ）を示す。後述の図９（ｂ）、図１０（ａ）、（ｂ）も同様である。なお、図９（ａ）、（ｂ）、図１０（ａ）、（ｂ）は、射出瞳１０１の直径（図５等での上下方向の幅）を１４．２２ｍｍとし、表示余裕領域Ｒｂの幅を７ｍｍとし、射出瞳１０１からスクリーン６０までの距離を３２２ｍｍとした場合の検証値に基づき作成したグラフである。
【００４３】
図９（ａ）に示すように、第１位置条件を満たす遮光部Ｓによれば、表示余裕領域Ｒｂの開始位置（表示領域Ｒａ側の位置）から緩やかに投影光Ｐの輝度を低下させつつも、表示余裕領域Ｒｂ外縁における投影光Ｐの輝度を表示領域Ｒａの８０％程度とすることができるため、ポストカードの発生を低減することができる。
【００４４】
（第２位置条件）
第２位置条件は、図６（ｂ）に示す第２領域Ｄ２内に遮光部Ｓの一部が含まれるように、遮光部Ｓを位置させる条件である。第２領域Ｄ２は、第２外線Ａｏと第１内線Ｃｉとに囲まれる領域である。具体的には、遮光部Ｓは、「第１外線Ｃｏ上、且つ、第１内線Ｃｉ上に位置するとともに、第２外線Ａｏの外側に位置する」という条件（第２位置条件）を満たす位置に設けられる。
【００４５】
図９（ｂ）は、第２位置条件を満たす位置に遮光部Ｓを設けた場合の、表示余裕領域Ｒｂにおける投影光Ｐの輝度変化割合を示すグラフである。
図９（ｂ）に示すように、第２位置条件を満たす遮光部Ｓによれば、表示余裕領域Ｒｂの開始位置（表示領域Ｒａ側の位置）から急峻に投影光Ｐの輝度を低下させつつも、表示余裕領域Ｒｂの外縁部における投影光Ｐの輝度を表示領域Ｒａの０％とすることができるため、ポストカードの発生を良好に低減することができる。
【００４６】
（第３位置条件）
第３位置条件は、図７（ａ）に示す第３領域Ｄ３内に遮光部Ｓの一部が含まれるように、遮光部Ｓを位置させる条件である。第３領域Ｄ３は、第２外線Ａｏと第１内線Ｃｉと中線Ｎとに囲まれる領域である。具体的には、遮光部Ｓは、「第１外線Ｃｏ上、且つ、中線Ｎ上に位置するとともに、第２外線Ａｏの外側、且つ、第１内線Ｃｉの外側に位置する」という条件（第３位置条件）を満たす位置に設けられる。
【００４７】
図１０（ａ）は、第３位置条件を満たす位置に遮光部Ｓを設けた場合であって、遮光部Ｓの下端（主光線Ｐｍ側の端）が第１交点Ｘ１に達する場合の、表示余裕領域Ｒｂにおける投影光Ｐの輝度変化割合を示すグラフである。第１交点Ｘ１は、図７（ａ）に示すように、第２外線Ａｏと中線Ｎとの交点である。
図１０（ａ）に示すように、第３位置条件を満たす遮光部Ｓによれば、表示余裕領域Ｒｂの開始位置（表示領域Ｒａ側の位置）から緩やかに投影光Ｐの輝度を低下させつつも、表示余裕領域Ｒｂの外縁部における投影光Ｐの輝度を表示領域Ｒａの５０％以下とすることができる。このため、第１位置条件と第２位置条件との双方のメリットをある程度充足しつつ、ポストカードの発生を良好に低減することができる。なお、ＴＦＴを用いたＨＵＤ装置におけるコントラスト比は「２０００：１」、ＤＭＤを用いたプロジェクション方式のＨＵＤ装置におけるコントラスト比は「１０００：１」が一般的であるが、このように、表示余裕領域Ｒｂの外縁部における投影光Ｐの輝度を表示領域Ｒａの５０％以下にすることで、ＴＦＴを用いたＨＵＤ装置に相当する黒画素（つまり、外縁部が薄明るく視認されない表示）を実現することができる。
【００４８】
（第４位置条件）
第４位置条件は、第３位置条件を限定した条件であり、図７（ｂ）に示すように、遮光部Ｓの下端（主光線Ｐｍ側の端）を第２交点Ｘ２の近傍に達するように、遮光部Ｓを位置させる条件である。第２交点Ｘ２は、第２外線Ａｏと第１内線Ｃｉとの交点である。
なお、「遮光部Ｓが第２交点Ｘ２の近傍に位置する」とは、例えば、画像Ｍの外縁となる第２外線Ａｏを遮光部Ｓで遮蔽しない範囲で遮光部Ｓの下端を可能な限り第２交点Ｘ２に近づけた態様であるとともに、設計上の要請により当該態様から数ｍｍのずれが生じた状態を含む。
【００４９】
図１０（ｂ）は、第４位置条件を満たす位置に遮光部Ｓを設けた場合の、表示余裕領域Ｒｂにおける投影光Ｐの輝度変化割合を示すグラフである。
図１０（ｂ）に示すように、第４位置条件を満たす遮光部Ｓによれば、表示余裕領域Ｒｂの開始位置（表示領域Ｒａ側の位置）から緩やかに投影光Ｐの輝度を低下させつつも、表示余裕領域Ｒｂの外縁における投影光Ｐの輝度を表示領域Ｒａの０％とすることができる。このため、第１位置条件と第２位置条件との双方のメリットを充足しつつ、ポストカードの発生が極めて認識されづらいＨＵＤ装置１を提供することができる。
【００５０】
以上に説明した第１領域Ｄ１、第２領域Ｄ２、及び第３領域Ｄ３の総和が設定可能領域Ｄとなる。つまり、図８に示す設定可能領域Ｄ内に、遮光部Ｓの一部が含まれるように、遮光部Ｓを位置させることで、ポストカードの発生を低減することができる。
【００５１】
上記のように、少なくとも遮光部Ｓは、第１外線Ｃｏ上に位置するとともに、第２外線Ａｏよりも外側に位置している必要がある。ここで、遮光部Ｓが「第１外線Ｃｏ上に位置する」とは、遮光部Ｓが第１外線Ｃｏに沿う光線を遮る部分を有するとの意である。また、遮光部Ｓが「第２外線Ａｏの外側に位置」とは、遮光部Ｓの主光線Ｐｍ側の端が、第２外線Ａｏに対して主光線Ｐｍから離れる方向に位置するとともに、第２外線Ａｏに沿う光線を遮らないとの意である。他の線についても、「遮光部Ｓが所定線上に位置する」や、「遮光部Ｓが所定線の外側に位置する」という記載の意味することは同様である。
【００５２】
なお、遮光部Ｓが、第１〜第４位置条件のいずれかを満たしている限りにおいては、遮光部Ｓの位置や形状は任意であり、目的に応じ、下記特性１、２を考慮して定めればよい。
（特性１）遮光部Ｓの主光線Ｐｍ側の端が第２外線Ａｏに近い程、表示余裕領域Ｒｂの開始位置から外縁に向かっての投影光Ｐの輝度の落ち始めが早くなる。一方、遮光部Ｓの主光線Ｐｍ側の端が第２外線Ａｏから離れる程、表示余裕領域Ｒｂの開始位置から外縁に向かっての投影光Ｐの輝度の落ち始めが遅くなる。
（特性２）遮光部Ｓがスクリーン６０に近い程、表示余裕領域Ｒｂの開始位置から外縁に向かっての投影光Ｐの輝度の低下度が急になる。一方、遮光部Ｓがスクリーン６０から遠い程、表示余裕領域Ｒｂの開始位置から外縁に向かっての投影光Ｐの輝度の低下度が緩やかになる。
【００５３】
また、遮光部Ｓは、平面視で矩形の四辺のうち少なくとも一辺に沿う形状をなしていればよい。例えば、図４（ａ）に示すように、枠体５０の開口部５１を囲む額状の部分のように矩形の四辺の各々に沿う遮光部Ｓが、第１〜第４位置条件のいずれかを満たしていることが好ましいが、そうでなくともよい。遮光部Ｓは、矩形の四辺のうち任意の一辺のみに沿う形状であって、第１〜第４位置条件のいずれかを満たしていてもよい。また、遮光部Ｓは、矩形の四辺のうち任意の二辺又は三辺に沿う形状であって、各辺に沿う遮光部Ｓが第１〜第４位置条件のいずれかを満たしていてもよい。なお、遮光部Ｓを、矩形の四辺のうち任意の二辺以上に沿って設ける場合は、虚像Ｖを視認する観察者４にとっての左右に対応するように、平面視で反射面４１を挟んでの左と右の各々に遮光部Ｓを設けることが好ましい。虚像Ｖを視認する観察者４は、特に左右方向に視線をずらした場合に画像Ｍを表示する際に不要な境界が見えると、煩わしさを覚えると想定されるためである。
【００５４】
なお、本発明は、以上の実施形態及び図面によって限定されるものではない。本発明の要旨を変更しない範囲で、適宜、実施形態及び図面に変更（構成要素の削除も含む）を加えることが可能である。
【００５５】
以上では、第１反射部４０（反射部の一例）に設けた枠体５０の少なくとも一部として遮光部Ｓを構成する例を説明したが、これに限られない。遮光部Ｓは、第１〜第４位置条件のいずれかを満たし、且つ、プロジェクタ１００とスクリーン６０との間に位置するものであれば、任意の部材により構成することができ、例えば遮光専用の部材として実現されてもよい。また、プロジェクタ１００とスクリーン６０との間に第１反射部４０以外の光学部材（レンズやミラーなど）をさらに設ける構成としてもよい。そして、当該光学部材に遮光部Ｓを構成する部材を設けてもよい。また、第１反射部４０を介さずに、プロジェクタ１００からの投影光Ｐをスクリーン６０に投影する構成としてもよい。
【００５６】
また、射出瞳１０１とスクリーン６０上の各種領域との間における各種光線の関係が、上記説明と光学的に同義であれば、射出瞳１０１とスクリーン６０との間において屈折、反射、その他の光学的変調が行われたとしても、本発明の範囲に含まれる。また、主光線Ｐｍに対してスクリーン６０を斜めに傾ける構成としても勿論よい。
【００５７】
また、ＨＵＤ装置１は、スクリーン６０に投影光Ｐを投影するプロジェクション方式であれば、ＤＭＤを用いたものに限られず、例えば反射型表示素子として、ＬＣＯＳ（Liquid Crystal On Silicon）等を用いたものであってもよい。
【００５８】
以上では、表示光Ｌを車両２のウインドシールド３（フロントガラス）に向けて射出する例を説明したが、これに限られない。ＨＵＤ装置１がウインドシールド３以外の専用のコンバイナに向けて表示光Ｌを射出する構成としてもよい。
【００５９】
以上の説明では、ＨＵＤ装置１が搭載される乗り物の例を車両２としたが、これに限られない。ＨＵＤ装置１をその他の乗り物（船舶、航空機等）に設置することもできる。さらには、乗り物に設置するものに限られない。
【００６０】
以上の説明では、本発明の理解を容易にするために、重要でない公知の技術的事項の説明を適宜省略した。
【符号の説明】
【００６１】
１…ヘッドアップディスプレイ（ＨＵＤ）装置
２…車両、３…ウインドシールド、４…観察者
Ｌ…表示光、Ｖ…虚像
１００…プロジェクタ
１０…照明装置、ＲＧＢ…照明光
２２…表示素子、Ｐ…投影光
２３…投写レンズ部
３０…制御部
４０…第１反射部（反射部の一例）、４１…反射面
５０…枠体、５１…開口部
Ｓ…遮光部
６０…スクリーン、Ｍ…画像
Ｒａ…表示領域、Ｒｂ…表示余裕領域、Ｒｃ…表示可能領域
１０１…射出瞳
Ｃｏ…第１外線
Ｃｉ…第１内線（内線の一例）
Ａｏ…第２外線
Ａｉ…第２内線
Ｎ…中線
Ｐｍ…主光線
Ｄ…設定可能領域
Ｄ１…第１領域
Ｄ２…第２領域
Ｄ３…第３領域、Ｘ１…第１交点
Ｘ２…第２交点（交点の一例）
【図１】
2020004093.tif 000003
【図２】
2020004093.tif 000004
【図３】
2020004093.tif 000005
【図４】
2020004093.tif 000006
【図５】
2020004093.tif 000007
【図６】
2020004093.tif 000008
【図７】
2020004093.tif 000009
【図８】
2020004093.tif 000010
【図９】
2020004093.tif 000011
【図１０】
2020004093.tif 000012
【国際調査報告】
2020004093.tif 000013
2020004093.tif 000014
2020004093.tif 000015
2020004093.tif 000016